(57)【要約】【課題】本発明はＲＦ識別のためのセキュリティエレメント（１０）及びそのようなセキュリティエレメント（１０）を備えているセキュリティドキュメントに関する。【解決手段】セキュリティエレメントは、情報のセキュリティ関連アイテムを記憶するように設計された電子回路と、電子回路に接続され電子回路と検査装置との非接触通信を提供するＲＦアンテナとが集積された可撓性フィルム体（１０４）を有する。電子回路が配置された可撓性フィルム体の領域を少なくとも部分的に覆う第一光学可変エレメント（１０２）が可撓性フィルム体（１０４）の一表面に永久的に固定され、第二光学可変エレメントが可撓性フィルム体の反対側の表面に永久的に固定されている。【選択図】図７ａ
2008504616.tif 000002
【特許請求の範囲】
【請求項１】
ＲＦ識別のためのセキュリティエレメントであって、前記セキュリティエレメントは情報のセキュリティ関連アイテムを記憶するように設計された電子回路（２１）と前記電子回路（２１）に接続したＲＦアンテナとが集積された可撓性フィルム体（１３、５８、６４、８３、９４、１０４、１１４）を有し、
前記ＲＦアンテナは検査装置と前記電子回路との非接触通信を提供し、
前記電子回路が配置された前記可撓性フィルム体の領域を少なくとも部分的に覆う第一光学可変エレメント（１１、１２、５４、６３、７３、８２、９２、１０２、１１１）が前記可撓性フィルム体（１３、５８、６４、７２、８３、９４、１０４、１１４）の一表面に永久的に固定され、
第二光学可変エレメント（１４、５６、６５、７１、８４、９５、１０５、１１５）が前記可撓性フィルム体（１３、５８、６４、７２、９４、１０４、１１４）の他の表面に永久的に固定されることを特徴とするセキュリティエレメント。
【請求項２】
前記電子回路が前記可撓性フィルム体の前記一表面に隣接し、前記第一光学可変エレメントは前記電子回路に少なくとも部分的に永久的に直接固定されることを特徴とする請求項１に記載のセキュリティエレメント。
【請求項３】
前記可撓性フィルム体（１３、５８、６４、７２、８３、９４、１０４、１１４）は前記電子回路（２１）を囲む領域において透明であることを特徴とする請求項１または２に記載のセキュリティエレメント。
【請求項４】
前記第一光学可変エレメント及び前記第二光学可変エレメントによって生じる光学効果は、相互に補助的な表示であることを特徴とする請求項１から３の１つに記載のセキュリティエレメント。
【請求項５】
前記第一及び第二光学可変エレメント（１１、１２、１４、５４、５８、６３、６５、７１、７３、９２、９５、１０２、１０５、１１１、１１５）は少なくとも部分的に重なり合っていることを特徴とする請求項１から４の１つに記載のセキュリティエレメント。
【請求項６】
前記第一光学活性エレメント（６３、７３、９２）の透過性領域及び前記第二光学活性エレメント（６５、７１、９５）の反射性領域が重なり合うことを特徴とする請求項５に記載のセキュリティエレメント。
【請求項７】
前記第一及び第二光学可変エレメント（７１、７３、９３、９５、１０２、１０５、１１１、１１５）の重なり合いによってさらに潜在的な光学効果が可視になることを特徴とする請求項５に記載のセキュリティエレメント。
【請求項８】
前記第一光学可変エレメントはモアレアナライザを備え、前記第二光学可変エレメントはモアレパターンを備えることを特徴とする請求項７に記載のセキュリティエレメント。
【請求項９】
前記第一光学可変エレメント（７４）は透過性線状ラスタを有し、前記第二光学可変エレメント（７１）は反射性回折構造またはインプリントを有することを特徴とする請求項７または８の1つに記載のセキュリティエレメント。
【請求項１０】
前記第一光学可変エレメント（９２）は透過性線状ラスタを有し、前記第二光学可変エレメント（９５）は反射性線状ラスタを有することを特徴とする請求項７から９の１つに記載のセキュリティエレメント。
【請求項１１】
前記第一光学可変エレメント（１０２、１１１）は第一透過性線状ラスタを有し、前記第二光学可変エレメント（１０５、１１５）は第二透過性線状ラスタを有することを特徴とする請求項７から１０の１つに記載のセキュリティエレメント。
【請求項１２】
前記第一光学可変エレメント（５４、６３）は部分的な反射層及び光学回折活性レリーフ構造（５２、６２）が形成された複製ラッカー層を有することを特徴とする請求項１から１２の１つに記載のセキュリティエレメント。
【請求項１３】
前記光学可変エレメントは透過性光学回折効果を生じることを特徴とする請求項１から１２の１つに記載のセキュリティエレメント。
【請求項１４】
前記第一及び／または第二光学可変エレメント（１１、１２、１４）は金属反射層を有し、
前記ＲＦアンテナ（２２）には、前記第一または第二光学可変エレメントがそれぞれ設けられ、且つ前記ＲＦアンテナと前記第一または第二光学可変エレメントとがそれぞれ重ならない領域の外側に配置されることを特徴とする請求項１から１３の１つに記載のセキュリティエレメント。
【請求項１５】
前記第一及び／または第二光学可変エレメント（５４、５６、６３）は、好ましくは作用色素を含む１つ以上のプリント層を有することを特徴とする請求項１から１４の１つに記載のセキュリティエレメント。
【請求項１６】
前記第一及び／または第二光学可変エレメントは干渉による視角依存色変化を生じる１つ以上の薄膜層を有することを特徴とする請求項１から１５の１つに記載のセキュリティエレメント。
【請求項１７】
請求項１から１６の１つに記載のセキュリティエレメントを有するセキュリティドキュメント、具体的にはパスポート。
【請求項１８】
前記セキュリティドキュメントは、前記ＲＦアンテナの電磁スクリーニングのための前記セキュリティエレメント（３３）の前記ＲＦアンテナの領域に配置された導電性層を有する１つ以上のページ（３７）を有することを特徴とする請求項１７に記載のセキュリティドキュメント。
【請求項１９】
前記セキュリティエレメントの前記ＲＦアンテナの領域に配置された導電性層を有する前記ページうちの１つ以上のページが、前記第一及び／または第二光学可変エレメントに対して補助的な表示を示し、及び／または少なくとも部分的に前記第一または前記第二光学可変エレメントを覆う第三光学可変エレメントを備えることを特徴とする請求項１８に記載のセキュリティドキュメント。
【請求項２０】
前記セキュリティエレメント（３３）が前記セキュリティドキュメント（３）の後のページ（３２）に適用され、
透明な検査窓（３６）が前記セキュリティドキュメントの隣接するページ（３１）に前記第一光学可変エレメントと正確に整合して設けられることを特徴とする請求項１７から１９の１つに記載のセキュリティドキュメント。
【請求項２１】
前記セキュリティエレメントは前記セキュリティドキュメントの２ページの間に導入されてそこに接着され、
透明な検査窓が前記ページの一方及び他方に前記第一または第二光学可変エレメントとそれぞれ正確に整合して設けられることを特徴とする請求項１７に記載のセキュリティドキュメント。
【請求項２２】
前記セキュリティエレメントは前記セキュリティドキュメントの１ページの形状で可撓性フィルム体を形成し、
このフィルム体がセキュリティドキュメント内にその１つのページとして綴じられていることを特徴とする請求項１７に記載のセキュリティドキュメント。
【請求項２３】
前記セキュリティエレメント（１１）は前記セキュリティドキュメントの１ページ（１８）に適用され、プリント（１１３）を有するＲＦアンテナの領域において重ねられることを特徴とする請求項１７から２２の１つに記載のセキュリティドキュメント。
【請求項２４】
前記第一及び／または第二光学可変エレメント（８２、１０２、１０５、１１１、１１５）は前記セキュリティドキュメントのページ（８５、１０８、１１８）に適用された情報の個別なアイテムに重ねられることを特徴とする請求項１７から２３の１つに記載のセキュリティドキュメント。
【発明の詳細な説明】
【技術分野】
【０００１】
本発明は、ＲＦ識別のためのセキュリティエレメント及びセキュリティドキュメント、具体的にはそのようなセキュリティエレメントを有するパスポートに関する。
【背景技術】
【０００２】
米国特許４，２２０，９５６は、銅箔からエッチングプロセスによって生産されるアンテナの配列を有するＲＦ（ラジオ周波数）識別回路を記載している。銅箔は誘電体に適用される。この誘電体がどんな電気的機能も有さないように、非常に薄い構造から作られることができ、それによりＲＦ識別回路の機械的な可撓性が増大する。
【０００３】
米国特許５，５２８，２２は、ベースステーションによって送られたＲＦキャリアをベースステーションに反射し、その際予めプログラムされた情報プロトコルによって付加的な情報を、反射された信号上に変調させるＲＦ識別回路を記載している。このＲＦ識別回路はメモリを有する半導体回路と、一つ以上のＲＦ回路のＲＦコンポーネントとを有する。半導体回路は基板上に搭載される。アンテナによって受け取られたＲＦ信号は半導体回路へ送られる。基板は可撓性を有し、非導電性基板である。アンテナは基板の不可欠な構成要素部分であり、２５〜３５μｍの厚みの、ポリエステルまたはポリアミド層に適用されたトラックを備えている。
【０００４】
この構造によって、ＲＦ識別回路は非常に薄く機械的に可撓性を有する形状となる。
【発明の開示】
【発明が解決しようとする課題】
【０００５】
そこで本発明の目的は、ＲＦ識別を改善したセキュリティエレメントを提供することにある。
【課題を解決するための手段】
【０００６】
この目的は、情報のセキュリティ関連アイテムの記憶のために設計された電子回路と、電子回路に接続され電子回路の検査装置との非接触通信を提供するＲＦアンテナと、が集積された可撓性フィルム体を有するＲＦ識別のためのセキュリティエレメントによって達成される。このＲＦ識別のためのセキュリティエレメントにおいては、少なくとも部分的に電子回路が配置された可撓性フィルム体の領域を覆う第一光学可変エレメントが可撓性フィルム体の一表面に永久的に固定される。また、第二光学可変エレメントが可撓性フィルム体の反対側の表面に永久的に固定されている。このように、電子回路は侵略的不法侵入から最適に保護される。
【０００７】
この目的は、さらにそのようなセキュリティエレメントを有するセキュリティドキュメントによって達成される。
【０００８】
本発明によって、セキュリティエレメントの電子回路によって記憶された情報のセキュリティ関連アイテムは操作やスパイから確実に保護される。例えばマイクロプロービングといった商業的に入手可能な方法を用いて、回路の撮影及び逆行分析による電子回路内に記憶されたデータへの攻撃は、必然的に光学的に変化可能なエレメントの破壊を引き起こし、また、容易に認識され得る。このようなＲＦ識別回路によって管理されるセキュリティ関連情報の信頼性の点における付加的な保護は、この目的のために一般に用いられている方法、例えば（非同期）暗号化技術または電子保護認証と比較して、ＲＦ識別方法のセキュリティにおける大幅な改善を実現する。というのも、データの信頼性を保護するために二つのまったく異なる技術が組み合わされ、データの信頼性に対する攻撃が非常に困難となるためである。
【０００９】
本発明のさらなる効果は、従属する請求項に示される。
【発明を実施するための最良の形態】
【００１０】
本発明の好適な実施例によると、可撓性フィルム体は電子回路を取り囲む領域において透明のものからなる。このため電子回路に対する操作は容易に認識される。さらに、これにより観察者が、電子回路を有するフィルム体によって、及び、第一及び／または第二光学的可変エレメントによって影響を受ける視覚的な印象を有することも可能である。第一及び／または第二光学可変エレメントによって生じる光学効果への可撓性フィルム体の視覚的な印象の融合が可能であり、これにより操作は非常に容易に認識されるようになる。
【００１１】
電子回路に記憶されたデータのセキュリティの改善は、付加的な測定による多くの方法によって可能となる。
【００１２】
そこで、第一光学可変エレメント及び第二光学可変エレメントによって生じる光学的効果が相互に補助的な表示を呈するので、それら二つの光学可変エレメントのうち一つの省略または変化が、すぐに観察者に明らかになる。
【００１３】
第一及び第二の光学可変エレメントは、少なくとも部分的に重ねられることが好ましい。そこで、例えば第一光学可変エレメントの透過性の領域及び第二光学可変エレメントの反射性の領域が、例えばモザイク状に重ねられることが可能となり、その結果、それら二つのセキュリティエレメントのうちの一つが省略され、またはそれら光学可変セキュリティエレメントのうちの一つの整合関係あるいは位置や方向が変化されることは、すぐに認識されるようになる。
【００１４】
本発明のさらに好適な実施例によると、第一及び第二光学可変エレメントは、第一及び第二光学可変エレメントを重ね合わせた上に潜在的な光学効果をさらに視ることができるように、互いに整合される。そこで、例えば第二光学可変エレメントはモアレパターンを有し、第一光学可変エレメントは対応するモアレアナライザを有する。その結果、第一及び第二光学可変エレメントの重ねられた表示上にモアレパターンに隠されたモアレ画像が可視となる。モアレアナライザ及びモアレパターンに用いられるラスタを適切に選択することによって、第一及び第二光学可変エレメントの間の小さな不整合さえもが、モアレパターンが可視となったのかどうかを決定することを可能とし、それによってデータのセキュリティレベルがさらに改善される。
【００１５】
さらに、透過性の線状ラスタを第一光学可変エレメントとして用い、反射性回折構造またはオーバープリントを第二光学可変エレメントとして用いることによって、潜在性の光学効果を実現することもまた可能となる。そのような構造の重ね合わせによって、第一及び第二光学可変エレメントの構造エレメントのずれに記号化された情報の潜在的アイテムを可視となるようにすることが可能となる。第一光学可変エレメントとして用いられる透過性線状ラスタと第二光学可変エレメントとして用いられる反射性線状ラスタまたは凹面鏡エレメントを備えたラスタによって、第一及び第二光学可変エレメントの重ねられた表示上にのみ示される明らかな光学効果が生じることが可能となる。このように生じた光学効果が他の技術によって模倣されることは、非常な困難を伴う。
【００１６】
さらに好適な選択肢として、透過性線状ラスタが第一光学可変エレメントとして用いられ、第二光学可変エレメントとしても透過性線状ラスタが用いられてもよい。この場合、例えばセキュリティエレメントの下に配置された情報のアイテムの表示が、これらの光学可変エレメントが正確に整合した配列に精密に依存している。その結果、特に高度なデータセキュリティを実現することがまた可能となる。
【００１７】
本発明の好適な実施例によると、ＲＦアンテナには第一及び第二光学可変エレメントがそれぞれ設けられた領域の外側に配置されている。結果として、ＲＦアンテナ及び第一あるいは第二光学可変エレメントは重ならない。このように、第一及び／または第二光学可変エレメントが、そうでなければＲＦが正常に機能しなくなる特性をもたらし得る金属反射層を備えることが可能となる。
【００１８】
永久的に可撓性フィルム体に固定された光学可変エレメントは約５〜１５μｍの厚さからなることが好ましい。その結果、これらの層の、好ましくは１００〜４００μｍの厚さからなる可撓性フィルム体からの剥離は、光学可変エレメントを破壊しない限り不可能となる。この場合、光学可変エレメントは転写フィルム、例えばホット・スタンピングフィルムによって可撓性フィルム体に適用されることが好ましい。この場合、光学可変エレメントの永久的な固定が、例えば積層プロセスまたは熱、圧力あるいは放射線照射によって硬化または架橋され得る接着剤によって実現される。
【００１９】
本発明のさらなる好適な実施例によると、電子回路が可撓性フィルム体の表面に隣接し、第一光学可変エレメントと直接永久的な接着関係にある。
【００２０】
この点において、本発明のセキュリティエレメントは、身分証明書、例えばパスポートに導入されるのが好ましい。この点において、セキュリティエレメントがセキュリティドキュメント内に導入された後でも、第一及び第二光学可変エレメントが観察者に可視のままで、チェックが可能であることが不可欠である。
【００２１】
この場合、セキュリティエレメントは、接着、製本、またはホッチキスでとじられた好ましくは紙からなる１以上のページを有するセキュリティドキュメントに導入されることが好ましい。
【００２２】
セキュリティエレメントは、セキュリティドキュメントの後側に適用される。透明な検査窓が第一光学可変エレメントと正確に整合してセキュリティドキュメントのページの正面に導入され、データの信頼性の光学検査が可能となる。さらに、セキュリティエレメントはセキュリティドキュメントの二つのページの間に導入されることが可能であり、それらに例えば接着剤によって接合されることが可能となる。この場合、それらのページのうち一方及び／または他方が第一または第二光学可変エレメントとそれぞれ正確に整合して方向付けられた透明な検査窓を有する。
【００２３】
本発明の好適な実施例によると、この場合セキュリティドキュメントはセキュリティエレメントのＲＦアンテナの領域に配置された導電性層を有する一つ以上のページを有する。この導電性層は、電磁気スクリーニングを提供し、ＲＦアンテナによる電子回路と検査装置との間の通信が、セキュリティドキュメントが開かれたときのみ可能となる。これにより、電子回路に記憶されたセキュリティ関連データのセキュリティレベルがさらに高められる。ドキュメントが閉じられたとき、電子回路に記憶されたデータへのアクセスが無線介在面によって不可能となる。さらに、このように様々な識別システムの間の好ましくない干渉もまた避けられる。
【００２４】
“スクリーニングフィルム”として働くセキュリティドキュメントのページは金属性反射性層が設けられた光学可変エレメントを備えることが好ましい。しかしながら、導電性層がセキュリティドキュメントの二つの隣接したページの間に導入され、観察者から隠されることもまた可能である。
【００２５】
この場合、電磁性の“スクリーニングフィルム”は、電子回路とＲＦアンテナを有する可撓性フィルム体に永久的に固定された第一及び／または第二光学可変エレメントによって補助的な表示を形成する光学可変エレメントを備えることが好ましい。この場合、補助的な表示が電子回路の領域を少なくとも部分的に覆うので、それにより第一及び／または第二光学可変エレメントが電子回路の領域において取り除かれたか損傷したかどうかを調べることがさらに可能となる。
【００２６】
さらに好適な実施例によると、本発明による第一のセキュリティエレメントが適用されたセキュリティドキュメントのキャリア層の領域は、セキュリティエレメントが適用された時にセキュリティエレメントの第一及び／または第二光学可変エレメントによって覆われた個別の情報を有する。これにより、電子回路に記憶された情報のセキュリティ関連アイテムが個別の情報、例えばパスポート所持者の写真によってさらに保護されることを可能にする。
【実施例】
【００２７】
図１ａ及び図１ｂは、永久的に接続された複数の層１１、１３、１４、及び１５を備えたＲＦ識別のための多層セキュリティエレメント１を示す。この点において、様々な方法、例えば接着、コールドラミネート加工、ホットラミネート加工、ホットスタンピング加工、またはＵＶ硬化性接着剤による接着がそれらの層の永久的な接続のために用いられ得る。
【００２８】
層１３は、約１００〜４００μｍの層厚の薄い可撓性フィルム体である。このフィルム体は電子回路２１、ＲＦアンテナ２２及びＲＦアンテナ２２を電子回路２１へ接続する導波路２３を有する透明性ポリエステルキャリアを備えている。
【００２９】
電子回路２１は、シリコン技術を用いて生産され、非常に薄いシリコンキャリアへ適用された集積回路を備えることが好ましい。この回路は、メモリと関連づけられたマイクロプロセッサと、ＲＦアンテナによって供給される無線介在部によってマイクロプロセッサの通信を可能にするペリフェラルドライバコンポーネントとを備える。この場合、マイクロプロセッサへの電力供給はまた、アンテナに誘導された電磁波放射エネルギーをマイクロプロセッサへ送るＲＦアンテナ２２によって実現される。
【００３０】
マイクロプロセッサは、セキュリティ関連データ、例えばパスポート所持者に関する生体情報（識別データまたは承認データあるいはシークレットキー）が記憶された保護された記憶領域を有する。これらのデータは、セキュリティエレメントを携行する人を、検査装置に対して、マイクロプロセッサに関する限り通信上で安全に識別するために用いられることが好ましい。
【００３１】
さらに、電子回路２１は、従来のシリコン技術に基づくのではなく、有機半導体回路を用いることもまた可能である。
【００３２】
アンテナ２２の形状や構造は、セキュリティエレメント１が用いられる識別方法のキャリア周波数によって原則的に決定される。この場合、アンテナは環状に配置された導電性材料から成る複数の導電性トラックを備えることが好ましい。この場合、ＲＦアンテナは層１３に成型あるいはラミネートされた薄い配線、または目的とするアンテナ形状でキャリア基板に適用された導電性のペーストを備えることが可能である。また、ＲＦアンテナは、正／負エッチング（シャドウマスク）、それに対応する印刷、もしくはアブレーション、例えばレーザーアブレーションによって、目的とするアンテナ形状に構造化された導電性材料から成る薄層を備えていてもよい。この点において、アンテナ２２は透明導電材料、例えばインジウムスズ酸化物、ポリアニリン、及び／または導電性ポリマーを備えることもまた可能である。
【００３３】
層１１、１２及び１４は、それぞれ約１０〜５０μｍの厚さを有する。
【００３４】
層１１は、保護ラッカー層、回折光学活性のレリーフ構造が内部に形成された複製ラッカー層、部分反射層、及び接着剤層を有するスタンピングフィルムの転写層を備えている。
【００３５】
保護ラッカー層は１〜２μｍの厚さを有することが好ましい。複製ラッカー層は熱可塑性または架橋性ポリマーであることが好ましい。ここでは、例えばホログラムやキネグラムとして働く回折レリーフ構造が、光学可変エレメント１６の領域において熱及び圧力の影響下で複製ツールによって形成される。この目的のため、例えば熱可塑性複製ラッカーは、すべての領域に渡って凹版スクリーンローラによってラッカー層に適用され、乾燥され、それから回折構造がエンボス金型によって上述の識別領域においてエンボス加工される。さらに、放射線架橋性ラッカーは複製ラッカーとして保護ラッカー層に適用され、回折構造がＵＶ複製によって複製ラッカー層内に形成されることもまた可能である。
【００３６】
この（構造化された）反射層は、複製ラッカー層に適用される。この目的のため、好ましくは、例えば銅、銀、アルミニウム、または金からなる反射性金属層である反射層が複製ラッカー層に表面全体に渡って適用される。その後、正負エッチングによって、またはアブレーションによって所望の構造化された反射層を与えるように、部分的に再び取り除かれる。このように、可能な限り微細に構造化されたメタライゼーションは、例えば図１ａに示された領域で残され、一方、層１１は残りの領域で透明となる。
【００３７】
さらに、不透明の反射層の代わりに、反射性を高める光学的分離層のみが複製ラッカー層に（部分的に）適用されることもまた可能である。このような光学的分離層は、例えば導電性の蒸着薄層または薄く透過性の金属層を備えたＨＲＩ（高屈折率）またはＬＲＩ（低屈折率）層を用いることが好ましい。
【００３８】
反射性または透過性の薄膜層システムが、そのシステムが例えば干渉によって色変化を生じさせ、または反射を強めるといった複製ラッカー層に適用されることもまた可能である。それにより、光学可変エレメント１６は光学回折効果を有する透過性エレメントを（部分的に）示す。このように、例えばＺｎＳ／ＭｇＦ／ＺｎＳまたはＴｉＯ２／ＳｉＯ２／ＴｉＯ２を備えた薄膜層システムが複製ラッカー層に適用され得る。非常に薄い金属層、例えばＡｌ／ＭｇＦ／Ａｌを備えた薄膜層システムを用いることもまた可能である。
【００３９】
図１ａに示される実施例において、転写フィルムの転写層にはフィルム体１３の適用前に図１ｂに示される領域において部分的にインプリント１７がさらに設けられている。この場合、プリント１７は転写層の領域において実施されるのが好ましく、ここでは転写層は、透明であるか、または半透明反射層がそこには設けられていないように部分的に透明である。この点においてプリント１７は、例えば干渉層色素やコレステリック液晶色素といった作用色素を有することが好ましい。
【００４０】
層１１の代わりとして、層１２がフィルム体１３に適用されてもよい。層１２は、層１１のように作られるが、層１２が完全に透明で、層１１の付与された回折構造を有する複製ラッカー層と透明光学分離層（後述する）とを有し、プリント１７がはっきりと見える、という点で異なる。
【００４１】
図１ａに示すように、層１１または層１２は、その層に含まれた光学可変エレメント、例えば光学可変エレメント１６が、少なくとも部分的に電子回路２１が配置されたフィルム体１３の領域を覆うように、フィルム体１３に適用される。
【００４２】
層１４は、領域１７において反射性光学可変効果を有する一方領域１８において透過性光学可変効果を有するという点において層１１と同様である。したがって、層１７は、例えばホットスタンピング法によって図１ａに示された形状でキャリア層１５に適用された転写フィルムの転写層を備えている。ここで、キャリア層１５は例えば厚さ１２μｍのＰＥＴ、ＰＶＣ、ＡＢＳまたはＰＣフィルムを備えている。層１４がキャリア層１５に適用された後、層１４及び１５によって形成されたフィルム体は、永久的にフィルム体１３に接続される。この接続は、層１１と電子回路２１に対して図１ａ及び１ｂに示された整合性で上述の識別方法のうちの１つによってなされる。
【００４３】
従って、セキュリティエレメント１の場合、光学可変エレメント１６によって生じる光学効果と層１４と電子回路２１とによって与えられる光学可変エレメントによって生じる光学効果との両者が、観察者によって認識される。それにより、電子回路の信頼性は容易にチェックされることが可能となる。
【００４４】
ここで、図１ａ及び１ｂに従って生じるセキュリティエレメント３３がセキュリティドキュメント３へ導入されたものを図２ａ〜２ｃに示す。
【００４５】
上述したように、セキュリティエレメント３３は、電子回路の領域においてアンテナ３４の（半透明）導電性トラックと同様に光学可変エレメント３５を有する透明性可撓性多層フィルム体を備えている。このセキュリティドキュメント３は接着剤、ホッチキス、または製本によって結合された複数ページを有する。ここで、セキュリティエレメント３３はセキュリティドキュメント３の最後のページであるページ３２に適用され、上述した方法の１つによって永久的に接続されている。
【００４６】
次のステップ（図２ｂ）において、透明な検査窓がドキュメント３の隣接したページ３１に、例えばカッティングまたはスタンピング操作によって形成される。
【００４７】
ページ３１は上述した方法の1つによって永久的にセキュリティエレメント３２に連結され、光学可変エレメント３５のみが検査窓３６を通して観察者に可視のまま残される（図２ｃ）。
【００４８】
このように、光学可変エレメント及びセキュリティエレメントの電子回路を含む部分は観察者に可視のままとなり、観察者は電子回路に記憶されたデータの信頼性をチェックすることができる。一方、残りのアンテナ構造は隠され、観察者に不可視となる。
【００４９】
この配置において、セキュリティドキュメント３は少なくともアンテナ３４の領域に配置された導電性薄膜を有する1以上のページを有することもまた好ましい。このように、図３は上述したようにセキュリティエレメント３３のアンテナをスクリーンする金属化フィルムを有するセキュリティドキュメント３のページ３７を示す。それにより、セキュリティドキュメント３が開けられた時にのみ、アンテナから与えられる無線介在部によってセキュリティエレメント３３の電子機器との通信が可能となる。
【００５０】
この点において、ページ３７は、図３に示され、さらに1つ以上の光学可変エレメント、例えばホログラムまたはキネグラムを有することが可能な部分的に金属化されたフィルムを備えることも可能である。
【００５１】
図４はセキュリティエレメントがセキュリティドキュメント４の二ページの間に導入されそこに接着されたセキュリティドキュメント４を示す。すでに上述したように、セキュリティエレメントの一部のみが検査窓を通して可視のまま残される。
【００５２】
中心領域４３において、光学可変エレメントは電子回路の領域を覆っている。アンテナが配置された周辺領域４２において、セキュリティプリント及びその領域を覆う回折フィルムを備えた光学可変エレメント４１もさらに備えられている。
【００５３】
図５ａは二ページ５１と５７の間に導入されたセキュリティエレメント５の概略表示である。図５ａに示されるように、このセキュリティエレメントは二つの向かい合って配置された検査窓を通して視認され、両側から検査されることが可能となる。
【００５４】
図５ａに示されるように電子回路及びＲＦアンテナが集積された透明性可撓性フィルム体５８にはＲＦアンテナの領域において両側にセキュリティプリント５５がその上に設けられている。フィルム体５８の一表面には電子回路の領域において光学回折効果を有する部分的に透過性の光学可変エレメント５２を示す転写フィルムの転写層が適用されている。この転写層は、この光学可変エレメントを取り囲む領域においてセキュリティプリント５４を用いてオーバープリントされる。
【００５５】
同様に、転写フィルムの転写層は後側に適用され、それからオーバープリントされるため、その配列は部分的に透過性の光学可変エレメント５３とその上で同様に取り囲むセキュリティプリント５６を有する。光学可変エレメント５２及び光学可変エレメント５３の透過性領域はここで相互に重ね合わされた関係にあるので、入射光モードで観察するときよりも透光モードで観察するときに、異なる効果が見られる。さらに、光学可変エレメント５２及び５３の反射性及び透過性領域が相互に重ねられた関係で配置されることもまた可能である。それにより、観察者に正面側から及び後側から示される効果が、それぞれ光学可変エレメント５２及び５３の透過性領域及び反射性領域が交互に重ねられることによって提供される。
【００５６】
セキュリティオーバープリンティング５４及び５６なしで済ますこともまた可能である。
【００５７】
図５ｂは検査窓を有するページ６１を通して観察され、基板６６に適用されたセキュリティエレメント６を示す。集積されたＲＦアンテナ及び電子回路を有する可撓性フィルム体６４には、電子回路の領域において任意のセキュリティオーバープリント６３によって取り囲まれた光学可変エレメント６２を有する転写フィルムの転写層が適用される。フィルム体６４の反対側の表面には光学可変エレメント６５を含む転写フィルムの転写層が適用される。光学可変エレメント６２は部分的に透明な光学可変エレメントである。光学可変エレメント６５は反射性光学可変エレメントであり、例えば薄膜構造または光学回折効果を有し反射層を設けた構造である。従って、観察者にとって電子回路は光学可変エレメント６５によって生じ、さらに光学可変エレメント６２によって生じる光学効果が付加的に重ね合わされた光学効果の背景の正面に現れる。
【００５８】
さらに、セキュリティエレメントがセキュリティドキュメントのページに、例えば接着剤によって適用されるのではなく、セキュリティエレメントがページの形状に形成されセキュリティドキュメント内にそのページとしてホッチキス、製本または接着剤によって導入された可撓性多層フィルム体を形成してもよい。上述したように、このようなセキュリティエレメントは、第一及び／または第二光学可変エレメントをチェックするための検査窓の領域においてのみ取り除かれた状態であるオーバープリントを部分的に備えることが可能となる。
【００５９】
図６ａ〜６ｃは、フィルム体７２、８３及び８４の電子回路の領域がそれぞれマイクロレンズラスタを有する光学可変エレメントによって片側に重ねられたセキュリティエレメント７、８及び９を示す。
【００６０】
このようなマイクロレンズは屈折性のマクロスコピックレンズ構造が対応するエンボスツールによって形成されるキャリア層を備えることが好ましい。しかしながら、レンズラスタは、光学回折手段によって複数の隣接して配置された凸レンズの効果を生じる光学回折レリーフ構造によって生じさせることもまた可能である。
【００６１】
このようなマイクロレンズラスタによって、可撓性フィルム体７２、８３、及び８４の他の側に配置された光学可変エレメント７１、８４及び９６の正確に画定された領域が拡大され、その重なり合いが観察者に示される。このように、例えば繰り返し構造の関係にある線状ラスタの適切な方向に反対側に配置された繰り返しパターンの拡大表示を生じさせることが可能となる。
【００６２】
図６ａに示される実施例において、セキュリティエレメント７はマイクロレンズラスタ７３の領域に検査窓を有する基板７４に配置される。光学回折効果を有する反射性光学可変エレメント７１はフィルム体７２の反対側の表面に配置される。ここで、線状ラスタ７３に対する光学可変エレメント７１の方向によって、観察者には線状ラスタに対する光学可変エレメント７１の領域の位相位置の結果生じる他の潜在的光学効果が呈示される。
【００６３】
図６ｂに示される実施例において、線状ラスタ８２は、基板８５にプリントすることによって適用されたモアレ画像８４のためのモアレアナライザとして働く。プリント８４のモアレパターンに対して正確に整合する線状ラスタ８２の適切な方向によって、この配置は他の潜在的なモアレ画像を呈する。
【００６４】
この点において、モアレパターンとは、繰り返し構造形成パターンであり、これはその重なり合った上で、またはモアレアナライザとして働き、繰り返し構造形成パターンを通して観察されたときに新たなパターン、より具体的にはモアレパターンに隠されたモアレ画像を呈する繰り返し構造形成パターンである。もっとも単純なケースにおいて、このモアレ効果は、明暗の縞模様の重なり合いから生じる。ここで、モアレパターン及びモアレアナライザの暗い縞が相互に重なり合う関係に配置された領域はモアレパターン及びモアレアナライザの暗い縞が隣り合って配置された領域よりも明るく現れる。直線状の線状ラスタの他に、線状ラスタの線が曲がった領域をもったり、それらが例えば波状または環状構造で配置されることもまた可能である。この場合もまた、モアレ画像は曲線ラスタの適切な部分的位相変位によって暗号化され得る。さらに、１つの線状ラスタが他の線状ラスタの内部に回転されるような、２つの線状ラスタに基づいたモアレパターンを用いることもまた可能である。このような線状ラスタにおけるモアレ画像の復号化は線状ラスタの部分的な位相変位によって成立する。この場合、二つの異なるモアレ画像がこのようなモアレパターンにおいて暗号化され得る。このようにモアレ画像に対するモアレアナライザの方向が変化したとき、第二の画像、例えば警告表示が第一の目的とする画像の代わりに見られることも可能である。
【００６５】
図６ｃはここでマイクロレンズラスタ９３と反射性マイクロレンズラスタ９６との組み合わせを示す。このような反射性マイクロレンズラスタは前述したように反射性層、例えば金属薄層で生じたマイクロレンズラスタをコーティングすることによって生じる。このような反射性マイクロレンズラスタの代わりに、光学可変エレメント９５が好ましくはラスタに方向付けられ、すでに説明したように線状ラスタに対してマクロスコピック屈折性または凹面鏡エレメントの形状で実施されうる１つ以上の凹面鏡エレメントを有することもまた可能である。このような回折エレメントの重なり合いによって、特有の光学効果が他の技術によって模倣されることを非常に困難にする。
【００６６】
図７ａはセキュリティドキュメントの基板１０８の表面に適用されそのセキュリティドキュメントのページ１０１に部分的に覆われたセキュリティエレメント１０を示す。上述の方法のうちの1つによって、光学可変エレメント１０２はＲＦアンテナ及び電子回路を含む可撓性フィルム体１０４の一表面に永久的に固定され、一方、光学可変エレメント１０５は反対の表面に永久的に固定されている。図７ａに示されるように、光学可変エレメント１０２は透過性マクロレンズラスタ１０３を、光学可変エレメント１０５は透過性マクロレンズラスタ１０６を有する。セキュリティエレメント１０の適用前にセキュリティプリント１０７が基板１０８へプリントすることによって適用され、セキュリティエレメントの電子回路１０４の領域に設けられる。このように、セキュリティエレメント１０を検査するときに観察者に示される視覚的印象は、光学プリント１０７の表示、光学可変エレメント１０３及び１０５のマイクロレンズの方向及び焦点距離、光学可変エレメント１０２及び１０５の間隔、及び光学可変エレメント１０３及び１０６とセキュリティプリント１０７との互いの相対的な位置決めによって決定される。それらの構成要素のうちの1つが変えられた場合、例えば光学可変エレメント１０２及び１０５の間隔、光学可変エレメント１０２及び１０５の互いに対する相対的な位置決め、または光学可変エレメントのセキュリティプリント１０７に対する位置は、セキュリティエレメント１０を検査するときに異なる視覚的印象を与える。さらに、ここではすでに図６ｂを参照して述べたように、セキュリティプリント１０７及び重ねられた表示上に、対応するマイクロレンズラスター１０３及び１０６、セキュリティプリント１０７の方向においてのみ生じるマイクロレンズラスター１０３及び１０６の位置における潜在的なセキュリティ特性を暗号化することも可能である。この場合、暗号化は例えば共通の線状ラスタに基づく位相変位によるモアレ画像によって有効となる。
【００６７】
本発明の実施例によって、視覚的印象に関する多数のパラメータの操作が検出され、光学可変エレメント１０２及び１０５によって形成される光学回折素子が、他の方法では模倣が非常に困難となる飛躍的な光学可変効果を与える、という効果を奏する。
【００６８】
図７ｂは、ＲＦアンテナ及び電子回路を有する可撓性フィルム体１１４を備えた光学可変エレメント１１を示す。この光学可変エレメント１１はさらに、フィルム体１１４の一表面に適用されマイクロレンズラスタ１１２を有する光学可変エレメント１１１と、フィルム体１１４の反対側の表面に適用されマイクロレンズラスタ１１６を有する光学可変エレメント１１５とを備えている。セキュリティエレメント１１はセキュリティドキュメントのセキュリティプリント１１７が設けられた基板１１８に適用され、図７ａを参照してすでに述べたような効果を呈する。しかしながら、図７ａの実施例とは対照的に、セキュリティエレメント１１は、電子回路の領域に配置された検査窓を有するセキュリティドキュメントのページによって覆われておらず、マイクロレンズラスタ１１２の領域では検査窓を開き、フィルム体１１４のＲＦアンテナの領域では覆っているセキュリティプリント１１３を備えている。
本発明は、付随する図面を参照する多数の実施例によって説明される。
【図面の簡単な説明】
【００６９】
【図１ａ】ＲＦ識別のための本発明のセキュリティエレメントの構造を示す概略表示である。
【図１ｂ】図１ａのセキュリティエレメントの断面図である。
【図２ａ】本発明の第一実施例によるセキュリティドキュメントの図を示す。
【図２ｂ】本発明の第一実施例によるセキュリティドキュメントの図を示す。
【図２ｃ】本発明の第一実施例によるセキュリティドキュメントの図を示す。
【図３】本発明のさらなる実施例によるセキュリティドキュメントの図を示す。
【図４】本発明のさらなる実施例によるセキュリティドキュメントの図を示す。
【図５ａ】本発明のさらなる実施例によるセキュリティエレメントの構造を示す概略図を示す。
【図５ｂ】本発明のさらなる実施例によるセキュリティエレメントの構造を示す概略図を示す。
【図６ａ】本発明のさらなる実施例によるセキュリティエレメントの構造を示す概略図を示す。
【図６ｂ】本発明のさらなる実施例によるセキュリティエレメントの構造を示す概略図を示す。
【図６ｃ】本発明のさらなる実施例によるセキュリティエレメントの構造を示す概略図を示す。
【図７ａ】本発明のさらなる実施例によるセキュリティエレメントの構造を示す概略図を示す。
【図７ｂ】本発明のさらなる実施例によるセキュリティエレメントの構造を示す概略図を示す。
【図１ａ】
2008504616.tif 000003
【図１ｂ】
2008504616.tif 000004
【図２ａ】
2008504616.tif 000005
【図２ｂ】
2008504616.tif 000006
【図２ｃ】
2008504616.tif 000007
【図３】
2008504616.tif 000008
【図４】
2008504616.tif 000009
【図５ａ】
2008504616.tif 000010
【図５ｂ】
2008504616.tif 000011
【図６ａ】
2008504616.tif 000012
【図６ｂ】
2008504616.tif 000013
【図６ｃ】
2008504616.tif 000014
【図７ａ】
2008504616.tif 000015
【図７ｂ】
2008504616.tif 000016
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
ＲＦ識別のためのセキュリティエレメントであって、前記セキュリティエレメントは情報のセキュリティ関連アイテムを記憶するように設計された電子回路（２１）と、前記電子回路（２１）に接続するＲＦアンテナとが集積された可撓性フィルム体（１３、５８、６４、８３、９４、１０４、１１４）を有し、
前記ＲＦアンテナは、検査装置と前記電子回路の非接触通信を提供し、
前記電子回路が配置された前記可撓性フィルム体の領域を少なくとも部分的に覆う第一光学可変エレメント（１１、１２、５４、６３、７３、８２、９２、１０２、１１１）が前記可撓性フィルム体（１３、５８、６４、７２、８３、９４、１０４、１１４）の一表面に永久的に固定され、
第二光学可変エレメント（１４、５６、６５、７１、８４、９５、１０５、１１５）が前記可撓性フィルム体（１３、５８、６４、７２、９４、１０４、１１４）の他の表面に永久的に固定され、
ａ）前記第一光学可変エレメント及び前記第二光学可変エレメントによって生じる光学効果は、相互に補助的な表示であること、または
ｂ）前記第一及び第二光学可変エレメント（１１、１２、１４、５４、５８、６３、６５、７１、７３、９２、９５、１０２、１０５、１１１、１１５）は少なくとも部分的に重なり合っていることを特徴とするセキュリティエレメント。
【請求項２】
前記電子回路が前記可撓性フィルム体の前記一表面に隣接し、前記第一光学可変エレメントは前記電子回路に少なくとも部分的に永久的に直接固定されることを特徴とする請求項１に記載のセキュリティエレメント。
【請求項３】
前記可撓性フィルム体（１３、５８、６４、７２、８３、９４、１０４、１１４）は前記電子回路（２１）を取り囲む領域において透明であることを特徴とする請求項１または２に記載のセキュリティエレメント。
【請求項４】
ａ）の場合において、前記第一及び第二光学可変エレメント（１１、１２、１４、５４、５８、６３、６５、７１、７３、９２、９５、１０２、１０５、１１１、１１５）はさらに少なくとも部分的に重なり合うことを特徴とする請求項１から３の１つに記載のセキュリティエレメント。
【請求項５】
ｂ）の場合において、前記第一光学可変エレメント（６３、７３、９２）の透過性領域及び前記第二光学可変エレメント（６５、７１、９５）の反射性領域が重なり合うことを特徴とする請求項１から３の１つに記載のセキュリティエレメント。
【請求項６】
前記第一光学可変エレメント（６３、７３、９２）の透過性領域及び前記第二光学可変エレメント（６５、７１、９５）の反射性領域が重なり合うことを特徴とする請求項４に記載のセキュリティエレメント。
【請求項７】
ｂ）の場合において、前記第一及び第二光学可変エレメント（７１、７３、９３、９５、１０２、１０５、１１１、１１５）の重なり合いによってさらに潜在的な光学効果が可視になることを特徴とする請求項１から３の１つに記載のセキュリティエレメント。
【請求項８】
前記第一及び第二光学可変エレメント（７１、７３、９３、９５、１０２、１０５、１１１、１１５）の重なり合いによってさらに潜在的な光学効果が可視となることを特徴とする請求項４に記載のセキュリティエレメント。
【請求項９】
前記第一光学可変エレメントはモアレアナライザを備え、前記第二光学可変エレメントはモアレパターンを備えることを特徴とする請求項７及び８の１つに記載のセキュリティエレメント。
【請求項１０】
前記第一光学可変エレメント（７３）は透過性線状ラスタを有し、前記第二光学可変エレメント（７１）は反射性回折構造またはインプリントを有することを特徴とする請求項７、８または９の１つに記載のセキュリティエレメント。
【請求項１１】
前記第一光学可変エレメント（９２）は透過性線状ラスタを有し、前記第二光学可変エレメント（９５）は反射性線状ラスタを有することを特徴とする請求項７から１０の１つに記載のセキュリティエレメント。
【請求項１２】
前記第一光学可変エレメント（１０２、１１１）は第一透過性線状ラスタを有し、前記第二光学可変エレメント（１０５、１１５）は第二透過性線状ラスタを有することを特徴とする請求項７から１１の１つに記載のセキュリティエレメント。
【請求項１３】
前記第一光学可変エレメント（５４、６３）は部分的な反射層及び光学回折活性レリーフ構造（５２、６２）が形成された複製ラッカー層を有することを特徴とする請求項１から１２の１つに記載のセキュリティエレメント。
【請求項１４】
前記光学可変エレメントは透過性光学回折効果を生じることを特徴とする請求項１から１３の１つに記載のセキュリティエレメント。
【請求項１５】
前記第一及び／または第二光学可変エレメント（１１、１２、１４）は金属反射層を有し、
前記ＲＦアンテナ（２２）には、前記第一または第二光学可変エレメントがそれぞれ設けられ、且つ前記ＲＦアンテナと前記第一または第二光学可変エレメントとがそれぞれ重ならない領域の外側に配置されることを特徴とする請求項１から１４の１つに記載のセキュリティエレメント。
【請求項１６】
前記第一及び／または第二光学可変エレメント（５４、５６、６３）は、好ましくは作用色素を含む１つ以上のプリント層を有することを特徴とする請求項１から１５の１つに記載のセキュリティエレメント。
【請求項１７】
前記第一及び／または第二光学可変エレメントは干渉による視角依存色変化を生じる１つ以上の薄膜層を有することを特徴とする請求項１から１６の１つに記載のセキュリティエレメント。
【請求項１８】
請求項１から１７の１つに記載のセキュリティエレメントを有するセキュリティドキュメント、特にパスポート。
【請求項１９】
前記セキュリティドキュメントは、前記ＲＦアンテナの電磁スクリーニングのための前記セキュリティエレメント（３３）の前記ＲＦアンテナの領域に配置された導電性層を有する１つ以上のページ（３７）を有することを特徴とする請求項１８に記載のセキュリティドキュメント。
【請求項２０】
前記セキュリティエレメントの前記ＲＦアンテナの領域に配置された導電性層を有する前記ページうちの１つ以上のページが、前記第一及び／または第二光学可変エレメントに対して補助的な表示を示し、及び／または少なくとも部分的に前記第一または前記第二光学可変エレメントを覆う第三光学可変エレメントを備えることを特徴とする請求項１９に記載のセキュリティドキュメント。
【請求項２１】
前記セキュリティエレメント（３３）が前記セキュリティドキュメント（３）の後のページ（３２）に適用され、
透明な検査窓（３６）が前記セキュリティドキュメントの隣接するページ（３１）に前記第一光学可変エレメントと正確に整合して設けられることを特徴とする請求項１８から２０の１つに記載のセキュリティドキュメント。
【請求項２２】
前記セキュリティエレメントは前記セキュリティドキュメントの２ページの間に導入されてそこに接着され、
透明な検査窓が前記ページの一方及び他方に前記第一または第二光学可変エレメントとそれぞれ正確に整合して設けられることを特徴とする請求項１８に記載のセキュリティドキュメント。
【請求項２３】
前記セキュリティエレメントは前記セキュリティドキュメントの１ページの形状で可撓性フィルム体を形成し、
このフィルム体がセキュリティドキュメント内にその１つのページとして綴じられていることを特徴とする請求項１８に記載のセキュリティドキュメント。
【請求項２４】
前記セキュリティエレメント（１１）は前記セキュリティドキュメントの１ページ（１８）に適用され、プリント（１１３）を有するＲＦアンテナの領域において重ねられることを特徴とする請求項１８から２３の１つに記載のセキュリティドキュメント。
【請求項２５】
前記第一及び／または第二光学可変エレメント（８２、１０２、１０５、１１１、１１５）は前記セキュリティドキュメントのページ（８５、１０８、１１８）に適用された情報の個別なアイテムに重なり合うことを特徴とする請求項１８から２４の１つに記載のセキュリティドキュメント。
【手続補正書】
【提出日】平成19年2月27日(2007.2.27)
【手続補正１】
【補正対象書類名】明細書
【補正対象項目名】０００３
【補正方法】変更
【補正の内容】
【０００３】
米国特許５，５２８，２２２は、ベースステーションによって送られたＲＦキャリアをベースステーションに反射し、その際予めプログラムされた情報プロトコルによって付加的な情報を反射された信号上に変調させるＲＦ識別回路を記載している。このＲＦ識別回路はメモリーを有する半導体回路と、一つ以上のＲＦ回路のＲＦコンポーネントとを有する。半導体回路は基板上に搭載される。アンテナによって受け取られたＲＦ信号は半導体回路へ送られる。基板は可撓性で、非導電性基板である。アンテナは基板の不可欠な構成要素部分であり、２５〜３５μｍの厚みの、ポリエステルまたはポリアミド層に適用されたトラックを備えている。
【国際調査報告】
2008504616.tif 000017
2008504616.tif 000018
2008504616.tif 000019
2008504616.tif 000020
2008504616.tif 000021
2008504616.tif 000022